(57)【要約】【課題】建物外壁の外壁パネル間の縦目地と、該縦目地が交差する横目地のコーナ部にシール性を高めるために設置され、施工時の作業性がよくシール性を向上させた役物を提供する。【解決手段】ゴムや熱可塑性エラストマー等のゴム様弾性体よりなり、一側面に粘着剤１２を塗布したテープ状物を折り返して粘着剤同士が接着する水平部１３と、水平部端より上向きに折り曲げた垂直部１４とで逆Ｔ字形をなす役物１１を形成し、外壁パネル１Ａのコーナに役物１１を当てがい接着する。ついで水平部１３を横目地上の横目地役物４ｂに当てて外壁パネル１Ａを組付け、その後外壁パネル１Ｂを役物１１の水平部１３と垂直部１４に当てがい組付ける。【選択図】図７
2014190106.tif 000002
【特許請求の範囲】
【請求項１】
建物外壁の外壁パネル間の縦目地２と、該縦目地２が交差する横目地３とのコーナ部に設置される役物１５、２１、２６であって、ゴムや熱可塑性エラストマー等のゴム様弾性体よりなるテープ状物１１、１７を折り曲げて形成され、横目地３に取付けられる水平部１３、２３と、該水平部１３、２３より立ち上がって縦目地２に取付けられる垂直部１４、２２を有して逆Ｔ字形の形態をなし、これら水平部１３、２３と垂直部１４、２２のうち、少なくとも一方は前記テープ状物１１、１７を折り返して形成されることを特徴とする役物。
【請求項２】
テープ状物１１の一側面には粘着剤１２、１９、２４が塗布されるか、或いは両面テープが接着されることを特徴とする請求項１記載の役物。
【請求項３】
垂直部両側の水平部２３のうちの一方と垂直部２２が折り返され、折り返された前記水平部端より前記垂直部２２とは逆向きの下向きに折り曲げられる垂直部２７を有して十字形の形態をなし、縦目地２と横目地３が十字形に交差する目地に装填されることを特徴とする請求項１又は２記載の役物。
【請求項４】
テープ状物１１、１７の折り曲げ箇所にはスリット１８が形成されることを特徴とする請求項１ないし３のいずれかの請求項に記載の役物。
【発明の詳細な説明】
【技術分野】
【０００１】
本発明は、建物外壁の外壁パネル間の縦目地と、該縦目地が交差する横目地のコーナ部にシール性を高めるために設置される役物に関する。
【背景技術】
【０００２】
外壁パネルによって構成される建物外壁には、外壁パネル間に縦目地と横目地が形成され、縦目地及び横目地には通常ガスケットよりなる定形の目地材及び又は湿式の不定形目地材が装填され、これら目地材の奥側（室内側）の縦目地と横目地が交差するコーナ部には、該コーナ部でのシール性を高めるためにゴムや熱可塑性エラストマー等のゴム様弾性体よりなる役物が取付けられることが多い。
【０００３】
図１は、外壁パネル１Ａ、１Ｂ間の縦目地２と横目地３のコーナ部に取付けられる役物４を示すもので、この役物４として従来、図２に示すように、水切り材等の横目地材５上に貼着されるテープ状の横目地役物４ａと、外壁パネル１Ａの小口面１ａに外壁パネル１Ａより下方に若干突出して貼着される縦目地役物４ｂよりなるもの、図３に示すように水平材７と垂直材８を一体成形するか、或いは接着して一体化した逆Ｔ形状をなすもの（特許文献１）などが用いられてきた。
【先行技術文献】
【特許文献】
【０００４】
【特許文献１】特許第３７４７３６３号
【発明の概要】
【発明が解決しようとする課題】
【０００５】
前述する前者の図２に示す役物４ｂでは、外壁パネル１Ａを横目地材上に役物４ａを介して取付けたとき、外壁パネル１Ａより突出する縦目地役物４ｂの下方への突出部分が重なり代となって横目地役物４ａに押付けられシールされるが、縦目地役物４ｂの貼付位置のずれにより前記重なり代が小さくなると、シール性が低下するようになる。
【０００６】
一方後者の役物では、前者の役物４のような問題は生じないが、なお改良すべき余地がある。
本発明は、前述する後者の役物について改良を加え、施工時の作業性がよくシール性を向上させた役物を提供することを目的とする。
【課題を解決するための手段】
【０００７】
請求項１に係る発明は、建物外壁の外壁パネル間の縦目地と、該縦目地が交差する横目地とのコーナ部に設置される役物であって、ゴムや熱可塑性エラストマー等のゴム様弾性体よりなるテープ状物を折り曲げて形成され、横目地に取付けられる水平部と、該水平部より立ち上がって縦目地に取付けられる垂直部を有して逆Ｔ字形の形態をなし、これら水平部と垂直部のうち、少なくとも一方は前記テープ状物を折り返して形成されることを特徴とする。
【０００８】
請求項２に係る発明は、請求項１に係る発明において、テープ状物の一側面には粘着剤が塗布されるか、或いは両面テープが接着されることを特徴とする。
【０００９】
請求項３に係る発明は、請求項１又は２に係る発明において、垂直部両側の水平部のうちの一方と垂直部が折り返され、折り返された前記水平部端より前記垂直部とは逆向きの下向きに折り曲げられる垂直部を有して十字形の形態をなし、縦目地と横目地が十字形に交差する目地に装填されることを特徴とする。
【００１０】
請求項４に係る発明は、請求項１ないし３のいずれかの請求項に記載の発明において、テープ状物の折り曲げ箇所にスリットを形成したことを特徴とする。
【発明の効果】
【００１１】
請求項１に係る発明の役物によると、縦目地と横目地が交差するコーナ部に取付けるときには、逆Ｔ字形に形成される役物の水平部を横目地材又は該横目地材に貼着の横目地役物上に当てがい、垂直部を外壁パネルの小口面に当てがうが、水平部や垂直部はテープ状物を施工現場で折り曲げるだけで施工でき、工数が少なく作業性がよいうえ、水平部や垂直部はテープ状物を任意の長さを切断することで長さを容易に変えることができること、折り曲げ前のテープ状物は嵩張らず、輸送時や施工時に破損しにくいこと、外壁パネルのコーナが当たる、水平部と垂直部が交差する角は折り曲げにより丸みを帯びるようになるため、外壁パネルの前記コーナと隙間が生じにくく、シールを確実に行うことができること等の効果を奏する。また施工現場において折り曲げなくても、工場等で予め所定の形状に曲げておいて現場に渡すようにすることも可能である。
【００１２】
請求項２に係る発明の役物によると、折り返されたテープ状物は粘着剤同士或いは両面テープ同士が接着することにより、折り返された状態に維持され、また水平部が折り返され、折り返された水平部が粘着剤或いは両面テープで接着されると、水平部上面と垂直部一側の粘着剤或いは両面テープが直角をなして外壁パネルのコーナに接着し固定できるため施工時の作業性がよい。
【００１３】
請求項３に係る発明の役物は、縦目地と横目地が十文字に交差するコーナ部に取付けられ、下側の垂直部は下側の外壁パネル間に挟み込まれて取付けられた状態で上側の外壁パネルが組み付けられるが、上側の外壁パネルを組付けるときには役物が下側の外壁パネルに位置決めされた状態で取付けられるため、設置精度が向上する。
【００１４】
請求項４に係る発明の役物によると、テープ状物を折り曲げて役物を形成する際、テープ状物の厚みが大であっても折り曲げが容易となり、またスリットが折り曲げ箇所の目安ともなって、テープ状物を折り曲げる際の作業性がよくなる。
【図面の簡単な説明】
【００１５】
【図１】外壁パネル間の縦目地と横目地が交差するコーナ部に役物を設置した概略図。
【図２】従来の役物を用いた施工例を示す斜視図。
【図３】役物の従来例を示す斜視図。
【図４】本発明に係る、真直ぐに伸ばされた状態のテープ状物の斜視図。
【図５】図４に示すテープ状物を使用に際して折り曲げるときの斜視図。
【図６】使用時における役物の斜視図。
【図７】図６に示す役物を用いて外壁パネルを組付けるときの状態を示す斜視図。
【図８】テープ状物の他の例の斜視図
【図９】図８に示すテープ状物を折り曲げるときの斜視図。
【図１０】別の実施形態の役物の斜視図。
【図１１】更に別の実施形態の役物の斜視図。
【図１２】図１１に示す役物を用いて外壁パネルを組付けるときの状態を示す斜視図。
【発明を実施するための形態】
【００１６】
図４は、本発明に係る役物１５を形成する折り曲げ前のテープ状物１１について示すもので、ゴムや熱可塑性エラストマー等のゴム様弾性体よりなり、一側面には粘着剤１２が塗布されている。粘着剤に代えて両面テープを接着してもよい。またゴムとしては、天延ゴムやＥＰＤＭなどを用いることができ、熱可塑性エラストマーとしてはオレフィン系、スチレン系などを用いることができる。これらはいずれも発泡体であるのが望ましい。
【００１７】
施工時には、図４に示すテープ状物１１を図５に示すように折り曲げ、折り返した水平部同士を粘着剤１２により接着させて図６に示すように折り返した水平部１３と、水平部端より上向きに折り曲げた垂直部１４を備えた逆Ｔ字形の形態をなす役物１５を形成する。垂直部１４より延び出す水平部１３の上面と垂直部１４の一側には、図示するように粘着剤１２が直角に剥き出した状態をなしている。テープ状物１１は所要長さに切断されたのちに折り曲げられるが、折り曲げたのちに切断するようにしてもよい。
【００１８】
図２に示すような横目地材５上に外壁パネル１Ａ、１Ｂを組付ける際には、図６に示す形態に折り曲げられた役物１５を粘着剤１２が外壁パネル１Ａを向くようにして横目地材５上の横目地役物４ａに対応する箇所の外壁パネル１Ａのコーナに当てがい接着したのち（図７）、役物１５の水平部１３を前記横目地役物４ｂに押付けて組付ける。次に外壁パネル１Ａと縦目地を形成する外壁パネル１Ｂを組付ける。外壁パネル１Ｂの組付けは、該外壁パネル１Ｂの小口面を役物１５の垂直部１４に当てて押込むと共に、パネル底面を水平部１３に当て押付けて行う。これにより外壁パネル１Ｂのコーナが役物１１の水平部１３と垂直部１４の交差する角に当たるが、該角は折り曲げにより丸みを帯びているため、外壁パネル１Ｂのコーナが役物１５の角に食い込んだ状態になり、シール性（水密性）を向上させる。
【００１９】
以上のようにして役物１５を設置し、外壁パネル１Ａ、１Ｂを組付けたのち、図示していないが、常法のように縦目地２及び横目地３にガスケットよりなる定形の目地材及び又は湿式の不定形の目地材が役物１５の室外側に装填される。
【００２０】
図８に示すテープ状物１７は、前記テープ状物１１の変形態様を示すもので、折り曲げ箇所である外周側の折れ目にスリット１８をテープ状物１７の厚さ方向に入れたもので、スリット１８を形成することにより、図９に示すように折り曲げる際に折り曲げ易くなり、またスリット１８が折り曲げ箇所の目安ともなり、テープ状物１７を折り曲げる際の作業性がよくなる。こうしたスリット１８は、テープ状物が厚い場合にことに好適である。図中、１９は粘着剤層である。
【００２１】
図１０に示す役物２１は、前述のテープ状物１１を用いて折り返した垂直部２２と、その両側に水平に延びる水平部２３とで逆Ｔ字形の形態に形成したものである。
【００２２】
図１０に示す実施形態では折り返した垂直部２２は、内側の粘着剤２４又は両面テープで接着され一体化されているが、粘着剤層又は両面テープが垂直部２２の両外側面に位置するように前記テープ状物１１を折り曲げることもできる。この場合、テープ状物１１の垂直部２２同士は接着されないが、外壁パネル１Ａ及び１Ｂを組付けたとき、垂直部２２が両外壁パネル１Ａ及び１Ｂに挟み込まれた状態で密着する。そして粘着剤２４又は両面テープにより両外壁パネル１Ａ及び１Ｂのコーナを形成する小口面と底面に接着されるようになる。
【００２３】
図１０に示すように折り返された役物２１を用いた場合、外壁パネル１Ａ及び１Ｂを組み付けたとき、これら外壁パネル１Ａ及び１Ｂのコーナがそれぞれ役物２１の両側の折曲げられた角に食い込んだ状態となる。
【００２４】
図１１に示す役物２６は、図１０に示す役物２１の垂直部両側の水平部２３のうちの一方を折り返し、更にその折り返し端を下向きに折り曲げて前記垂直部２２と逆向きの下向きの垂直部２７を形成し、十Ｔ字形の形態をなすようにしたものである。
【００２５】
本実施形態の役物２６を施工するときには、図１２に示すように、外壁パネル１Ａのコーナに役物２６を位置決めして接着し取り付けたのち、外壁パネル１Ｂを役物２６の垂直部２７と水平部２３に当てがって組付け、その後外壁パネル１Ａ及び１Ｂ上に外壁パネル１Ｃ及び１Ｄを役物２６の左右の水平部上に置き、かつ両パネル１Ｃ及び１Ｄで役物２６の垂直部２２を挟み込んで組付ける。
【００２６】
役物２６を設置し、外壁パネル１Ａ、１Ｂ、１Ｃ、１Ｄを組付けたのち、前述するように縦目地及び横目地に定形及び又は湿式の不定形な目地材が装填される。
【００２７】
前記各実施形態の役物２１、２６を形成するテープ状物においても、図８に示すテープ状物と同様、折り目となる箇所にスリットを形成するのが望ましい。
【符号の説明】
【００２８】
１Ａ、１Ｂ、１Ｃ、１Ｄ・・外壁パネル
２・・縦目地
３・・横目地
５・・横目地材
１１、１７・・テープ状物
１２、１９、２４・・粘着剤
１３、２３・・水平部
１４、２２、２７・・垂直部
１５、２１、２６・・役物
【図１】
2014190106.tif 000003
【図２】
2014190106.tif 000004
【図３】
2014190106.tif 000005
【図４】
2014190106.tif 000006
【図５】
2014190106.tif 000007
【図６】
2014190106.tif 000008
【図７】
2014190106.tif 000009
【図８】
2014190106.tif 000010
【図９】
2014190106.tif 000011
【図１０】
2014190106.tif 000012
【図１１】
2014190106.tif 000013
【図１２】
2014190106.tif 000014